【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
撮像装置に取り外し可能かつ通信可能に装着されるレンズ装置であり、前記撮像装置に装着されないアクセサリが取り外し可能かつ通信可能に装着されるレンズ装置であって、
前記撮像装置からの送信が可能な該レンズ装置または前記アクセサリに保存された保存済みデータを更新するための更新用データが前記レンズ装置用か前記アクセサリ用かを判別する判別手段と、
前記更新用データが前記アクセサリ用であると前記判別手段が判別した場合に、前記撮像装置から受信した該更新用データを前記アクセサリに送信する制御手段とを有することを特徴とするレンズ装置。
【請求項２】
前記判別手段は、前記撮像装置から、前記更新用データが前記レンズ装置用か前記アクセサリ用かの判別を可能とする確認情報を受信し、受信した該確認情報を用いて前記判別を行い、
前記制御手段は、前記更新用データが前記アクセサリ用であると前記判別手段が判別した場合に、前記撮像装置から該更新用データを受信することを特徴とする請求項１に記載のレンズ装置。
【請求項３】
前記判別手段は、前記更新用データが有する情報であって該更新用データが前記レンズ装置用か前記アクセサリ用かを示すデータ識別情報に基づいて前記撮像装置から受信した該更新用データが前記レンズ装置用か前記アクセサリ用かを判別することを特徴とする請求項１または２に記載のレンズ装置。
【請求項４】
前記制御手段は、
前記アクセサリから、該アクセサリにおける前記保存済みデータの更新が可能な前記更新用データを示す更新可能データ情報を受信し、該更新可能データ情報を前記撮像装置に送信することを特徴する請求項１から３のいずれか一項に記載のレンズ装置。
【請求項５】
撮像装置に取り外し可能かつ通信可能に装着されるレンズ装置であり、前記撮像装置に装着されないアクセサリが取り外し可能かつ通信可能に装着されるレンズ装置であって、
該レンズ装置に対する前記アクセサリの装着を検出することに応じて、該レンズ装置に固有の第１のレンズ識別情報を前記アクセサリの装着を示す第２のレンズ識別情報に変更し、該第２のレンズ識別情報を前記撮像装置に送信する識別情報更新手段と、
前記第２のレンズ識別情報を受信した前記撮像装置から、該アクセサリに保存された保存済みデータを更新するための更新用データを受信することに応じて、該更新用データを前記アクセサリに送信する制御手段とを有することを特徴とするレンズ装置。
【請求項６】
撮像装置に取り外し可能かつ通信可能に装着されるレンズ装置であり、前記撮像装置に装着されないアクセサリが取り外し可能かつ通信可能に装着されるレンズ装置のコンピュータに、
前記撮像装置からの送信が可能な該レンズ装置または前記アクセサリに保存された保存済みデータを更新するための更新用データが前記レンズ装置用か前記アクセサリ用かを判別する処理と、
前記処理により前記更新用データが前記アクセサリ用であると判別された場合に、前記撮像装置から受信した該更新用データを前記アクセサリに送信する処理とを行わせることを特徴とするデータ更新プログラム。
【請求項７】
撮像装置に取り外し可能かつ通信可能に装着されるレンズ装置であり、前記撮像装置に装着されないアクセサリが取り外し可能かつ通信可能に装着されるレンズ装置のコンピュータに、
該レンズ装置に対する前記アクセサリの装着を検出することに応じて、該レンズ装置に固有の第１のレンズ識別情報を前記アクセサリの装着を示す第２のレンズ識別情報に変更し、該第２のレンズ識別情報を前記撮像装置に送信する処理と、
前記第２のレンズ識別情報を受信した前記撮像装置から、前記アクセサリに保存された保存済みデータを更新するための更新用データを受信することに応じて、該更新用データを前記アクセサリに送信する処理とを行わせることを特徴とするデータ更新プログラム。 
【請求項８】
撮像装置に取り外し可能かつ通信可能に装着されるレンズ装置に取り外し可能かつ通信可能に装着され、前記撮像装置に装着されないアクセサリであって、
データの保存が可能な記憶手段と、
前記記憶手段に保存された保存済みデータを更新用データにより更新する制御手段とを有し、
前記制御手段は、前記撮像装置から前記レンズ装置が受信して、該レンズ装置から該アクセサリに送信された前記更新用データにより前記保存済みデータを更新することを特徴とするアクセサリ。
【請求項９】
前記制御手段は、前記保存済みデータの更新が可能な前記更新用データを示す情報であって送信先が前記撮像装置である更新可能データ情報を、前記レンズ装置に送信することを特徴する請求項８に記載のアクセサリ。
【請求項１０】
撮像装置に取り外し可能かつ通信可能に装着されるレンズ装置に取り外し可能かつ通信可能に装着され、前記撮像装置に装着されないアクセサリのコンピュータに、
前記アクセサリの記憶手段に保存された保存済みデータを更新用データにより更新させる処理を行わせることが可能であり、
該処理において、前記コンピュータに、前記撮像装置から前記レンズ装置が受信して、該レンズ装置から該アクセサリに送信された前記更新用データにより前記保存済みデータを更新させることを特徴とするデータ更新プログラム。
【請求項１１】
レンズ装置が取り外し可能かつ通信可能に装着される撮像装置であり、前記レンズ装置に取り外し可能かつ通信可能に装着されるアクセサリが装着されない撮像装置であって、
前記レンズ装置および前記アクセサリにそれぞれ保存された保存済みデータを更新するための前記レンズ装置用の更新データおよび前記アクセサリ用の更新用データを取得するデータ取得手段と、前記アクセサリ用の更新用データが選択されることに応じて、該アクセサリ用の更新用データを前記レンズ装置を介して前記アクセサリに送信する制御手段とを有することを特徴とする撮像装置。
【請求項１２】
前記制御手段は、前記レンズ装置から、前記アクセサリに保存された前記保存済みデータの更新が可能な前記更新用データを示す更新可能データ情報を受信することに応じて、前記更新可能データ情報に示された前記更新用データのみの選択を可能とする処理を行うことを特徴とする請求項１１に記載の撮像装置。
【請求項１３】
前記制御手段は、前記処理として、前記更新可能データ情報に示された前記更新用データのみが選択可能であることを示すように表示手段に表示することを特徴とする請求項１２に記載の撮像装置。
【請求項１４】
レンズ装置が取り外し可能かつ通信可能に装着される撮像装置であり、前記レンズ装置に取り外し可能かつ通信可能に装着されるアクセサリが装着されない撮像装置であって、
前記レンズ装置および前記アクセサリにそれぞれ保存された保存済みデータを更新するための前記レンズ装置用の更新データおよび前記アクセサリ用の更新用データを取得するデータ取得手段と、
前記レンズ装置から該レンズ装置への前記アクセサリの装着を示すレンズ識別情報を受信することに応じて、前記アクセサリ用の更新用データのみを選択可能とする処理を行い、
前記アクセサリ用の更新用データが選択されることに応じて、該アクセサリ用の更新用データを前記レンズ装置を介して前記アクセサリに送信する制御手段とを有することを特徴とする撮像装置。
【請求項１５】
前記制御手段は、前記アクセサリの装着を示す前記レンズ識別情報を受信することに応じて、前記処理として、前記アクセサリ用の更新用データのみが選択可能であることを示すように表示手段に表示することを特徴とする請求項１２に記載の撮像装置。
【請求項１６】
レンズ装置が取り外し可能かつ通信可能に装着される撮像装置であり、前記レンズ装置に取り外し可能かつ通信可能に装着されるアクセサリが装着されない撮像装置のコンピュータに、
前記レンズ装置および前記アクセサリにそれぞれ保存された保存済みデータを更新するための前記レンズ装置用の更新データおよび前記アクセサリ用の更新用データを取得する処理と、
前記アクセサリ用の更新用データが選択されることに応じて、該アクセサリ用の更新用データを前記レンズ装置を介して前記アクセサリに送信する処理とを行わせることを特徴とするデータ更新プログラム。
【請求項１７】
レンズ装置が取り外し可能かつ通信可能に装着される撮像装置であり、前記レンズ装置に取り外し可能かつ通信可能に装着されるアクセサリが装着されない撮像装置のコンピュータに、
前記レンズ装置および前記アクセサリにそれぞれ保存された保存済みデータを更新するための前記レンズ装置用の更新データおよび前記アクセサリ用の更新用データを取得する処理と、
前記レンズ装置から該レンズ装置への前記アクセサリの装着を示すレンズ識別情報を受信することに応じて、前記アクセサリ用の更新用データのみを選択可能とする処理と、
前記アクセサリ用の更新用データが選択されることに応じて、該アクセサリ用の更新用データを前記レンズ装置を介して前記アクセサリに送信する処理とを行わせることを特徴とするデータ更新プログラム。
【手続補正２】
【補正対象書類名】明細書
【補正対象項目名】０００７
【補正方法】変更
【補正の内容】
【０００７】
本発明の一側面としてのレンズ装置は、撮像装置に取り外し可能かつ通信可能に装着されるレンズ装置であり、撮像装置に装着されないアクセサリが取り外し可能かつ通信可能に装着されるレンズ装置であって、撮像装置からの送信が可能な該レンズ装置またはアクセサリに保存された保存済みデータを更新するための更新用データがレンズ装置用かアクセサリ用かを判別する判別手段と、更新用データが前記アクセサリ用であると判別手段が判別した場合に、撮像装置から受信した該更新用データを前記アクセサリに送信する制御手段とを有することを特徴とする。